(57)【要約】【課題】  写真自動撮影装置の撮影ブース内において、ユーザの好みに応じた位置で姿勢補助手段を利用することができ、また、ユーザが好みに応じた位置で姿勢補助手段を利用する場合に、姿勢補助手段と背景手段との接触を防止して、写真の仕上がり具合を良好に保つ。【解決手段】  撮影ブース６内の被写体であるユーザ７を撮影するカメラ２と、撮影ブース６に設けられ、ユーザ７の背景となる背景カーテン３０と、撮影ブース６内で移動可能に設けられ、ユーザ７の撮影ポーズの形成を補助する撮影用椅子８とを備えたものである。【選択図】図２
2007041483.tif 000002
【特許請求の範囲】
【請求項１】
撮影ブース内の被写体を撮影する撮影手段と、前記撮影ブースに設けられ、前記被写体の背景となる背景手段と、前記撮影ブース内で移動可能に設けられ、前記被写体の撮影ポーズの形成を補助する姿勢補助手段とを備えることを特徴とする写真自動撮影装置。
【請求項２】
姿勢補助手段は、被写体を載置可能な載置部を有し、前記載置部は、前記姿勢補助手段における最も背景手段側の箇所よりも、前記背景手段から前記被写体に向かう側に設けられ、前記背景手段との間に空間を隔てていることを特徴とする請求項１記載の写真自動撮影装置。
【請求項３】
姿勢補助手段における、背景手段側の背面部が、前記背景手段から被写体に向かう側に傾斜していることを特徴とする請求項２記載の写真自動撮影装置。
【請求項４】
載置部における、背景手段から被写体に向かう方向とは垂直な幅方向の少なくとも一方側に、把持部が設けられていることを特徴とする請求項２または３に記載の写真自動撮影装置。
【請求項５】
姿勢補助手段における、載置部よりも背景手段側であって前記載置部よりも低い位置に、足場が設けられていることを特徴とする請求項２〜４の何れか１項に記載の写真自動撮影装置。
【請求項６】
足場は、姿勢補助手段における背面部から、背景手段から被写体に向かう側に設けられていることを特徴とする請求項５記載の写真自動撮影装置。
【請求項７】
姿勢補助手段の背景手段側における載置部よりも低い位置に、取っ手部が設けられていることを特徴とする請求項２〜６の何れか１項に記載の写真自動撮影装置。
【請求項８】
載置部は、姿勢補助手段における幅方向の少なくとも一方の端部よりも幅方向内側に設けられていることを特徴とする請求項２〜７の何れか１項に記載の写真自動撮影装置。
【請求項９】
姿勢補助手段における幅方向の両端の側面部のうちの少なくとも一つの側面部が、載置部側に傾斜していることを特徴とする請求項８記載の写真自動撮影装置。
【請求項１０】
姿勢補助手段は、撮影ブースの床面に接触して前記姿勢補助手段の移動を支援する移動支援手段を備えることを特徴とする請求項１〜９の何れか１項に記載の写真自動撮影装置。
【請求項１１】
移動支援手段は、撮影ブース内における撮影手段と背景手段との間の方向の移動を許容し、前記方向と交わる方向の移動を抑制するガイド手段を備えることを特徴とする請求項１０記載の写真自動撮影装置。
【請求項１２】
移動支援手段は、撮影ブースの床面に対して弾性的に出退可能に構成され、姿勢補助手段は、前記床面よりも高い位置に、前記姿勢補助手段を前記床面に対して支持可能な支持部を備えることを特徴とする請求項１０または１１に記載の写真自動撮影装置。
【請求項１３】
移動支援手段は、姿勢補助手段の内側に取り付けられていることを特徴とする請求項１０〜１２の何れか１項に記載の写真自動撮影装置。
【請求項１４】
移動支援手段は、キャスタであることを特徴とする請求項１０〜１３の何れか１項に記載の写真自動撮影装置。
【請求項１５】
背景手段に対して姿勢補助手段が所定位置よりも近づくことを制限する移動制限手段を備えたことを特徴とする請求項１〜１４の何れか１項に記載の写真自動撮影装置。
【請求項１６】
移動制限手段は、背景手段に対する所定位置において姿勢補助手段と接触する突部であることを特徴とする請求項１５記載の写真自動撮影装置。
【請求項１７】
移動制限手段は、撮影ブースの幅方向の寸法を、被写体から背景手段に向かう方向に沿って、姿勢補助手段の幅寸法よりも狭めるブース幅調整部であることを特徴とする請求項１５記載の写真自動撮影装置。
【請求項１８】
姿勢補助手段は、階段状に形成されて複数の段部を有し、前記複数の段部のうち最も高い位置の段部に載置部が設けられていることを特徴とする請求項２〜１７の何れか１項に記載の写真自動撮影装置。
【請求項１９】
撮影ブースにおける背景手段に対向する位置に筐体が設けられ、前記筐体には、姿勢補助手段の少なくとも一部を収納可能な収納空間が形成されていることを特徴とする請求項１〜１８の何れか１項に記載の写真自動撮影装置。
【請求項２０】
撮影ブース内の被写体を撮影する撮影手段を備えた写真自動撮影装置における前記撮影ブース内に設けられ、前記被写体の撮影ポーズの形成を補助する写真自動撮影装置用姿勢補助具であって、前記撮影ブース内において移動可能に構成されていることを特徴とする写真自動撮影装置用姿勢補助具。
【請求項２１】
天面に被写体を載置可能な載置部を有し、複数の側面部のうちの少なくとも一つの側面部が前記載置部の中央側に傾斜していることを特徴とする請求項２０記載の写真自動撮影装置用姿勢補助具。
【請求項２２】
傾斜している側面部のうちの少なくとも一つに取っ手部が設けられていることを特徴とする請求項２１記載の写真自動撮影装置用姿勢補助具。
【請求項２３】
傾斜している側面部のうちの少なくとも一つの側面部における、載置部よりも低い位置に、足場が設けられていることを特徴とする請求項２１または２２に記載の写真自動撮影装置用姿勢補助具。
【請求項２４】
足場は、側面部から内側に向けて設けられていることを特徴とする請求項２３記載の写真自動撮影装置用姿勢補助具。
【請求項２５】
載置部における少なくとも一端側に、把持部が設けられていることを特徴とする請求項２１〜２４の何れか１項に記載の写真自動撮影装置用姿勢補助具。
【請求項２６】
階段状に形成されて複数の段部を有し、前記複数の段部のうち最も高い位置の段部に載置部が設けられていることを特徴とする請求項２１〜２５の何れか１項に記載の写真自動撮影装置用姿勢補助具。
【請求項２７】
撮影ブースの床面に接触して移動を支援する移動支援手段を備えることを特徴とする請求項２０〜２６の何れか１項に記載の写真自動撮影装置用姿勢補助具。
【請求項２８】
移動支援手段は、撮影ブース内における撮影手段と背景手段との間の方向の移動を許容し、前記方向と交わる方向の移動を抑制するガイド手段を備えることを特徴とする請求項２７記載の写真自動撮影装置用姿勢補助具。
【請求項２９】
撮影ブースの床面よりも高い位置に前記床面に対して支持可能な支持部を備え、移動支援手段は、撮影ブースの床面に対して弾性的に出退可能に構成されていることを特徴とする請求項２７または２８に記載の写真自動撮影装置用姿勢補助具。
【請求項３０】
移動支援手段が内側に取り付けられていることを特徴とする請求項２７〜２９の何れか１項に記載の写真自動撮影装置用姿勢補助具。
【請求項３１】
移動支援手段は、キャスタであることを特徴とする請求項２７〜３０の何れか１項に記載の写真自動撮影装置用姿勢補助具。
【発明の詳細な説明】
【技術分野】
【０００１】
本発明は、撮影ブース内に、被写体の撮影ポーズの形成を補助する姿勢補助手段を備えた写真自動撮影装置および写真自動撮影装置に用いられる写真自動撮影装置用姿勢補助具に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真自動撮影装置があることは広く知られている。
【０００３】
このような写真自動撮影装置においては、被写体であるユーザが個性的な撮影ポーズを容易に形成することができるように、撮影ブース内に、ユーザの撮影ポーズの形成を補助する椅子などの姿勢補助手段が備えられたものがある。また、ユーザをより綺麗に撮影するために、あるいは、編集画像と撮影画像との合成、例えばクロマキー合成を好適に行うために、撮影ブース内にカーテン等の背景手段を備えたものがある。
【０００４】
例えば、特許文献１には、２段の階段とその上部にある斜面により構成される撮影台が撮影空間に配置され、被写体であるユーザが階段に座ったり、斜面にもたれかかったりして好みの撮影ポーズを形成可能なことが記載されている。
【０００５】
また、特許文献２には、一部が収納し得る引出型の段差ステージが撮影ルーム内に設置されていることが記載されている。このように、段差ステージの一部が、段差ステージ内に収納自在に構成されていることで、ユーザは段差ステージを好みに応じた形態に変化させたうえで写真撮影に臨むことができる。
【０００６】
また、特許文献３には、床面に対して揺動可能な椅子が、撮影空間のほぼ中央部に設置されていることが記載されている。このように、設置された椅子が床面に対して揺動可能に構成されているので、ユーザが着座して撮影を開始するときに、椅子を揺動させることにより、ユーザに対してアトラクション的な面白さを提供し、そのときの表情、すなわち普段とは異なる表情を撮影することができる。
【０００７】
また、特許文献４には、撮影室内に被写体が腰掛けられる椅子が設けられ、かつ、被写体の背景となる位置にカーテンが設けられていることが記載されている。このような構成によると、ユーザは設置されている椅子に腰掛けることで、撮影時のポーズ姿勢を安定させることができるとともに、ユーザの背景にカーテンが配置されることで、綺麗な背景の写真を撮影することができる。
【０００８】
さらに、特許文献５には、撮影空間に、被写体撮影時に背景となる複数種類のスクリーンが設けられていることが記載されている。このような構成によると、背景となるスクリーンが複数種類設けられていることで、ユーザは、撮影したい写真のイメージに合ったスクリーンを選択することができ、よりユーザの好みに合った写真を撮影することができる。
【特許文献１】実用新案登録第３０８２３２８号公報
【特許文献２】特開２００２−３５４２９８号公報
【特許文献３】特開２００３−３０７７６５号公報
【特許文献４】実開平６−７０３７４号公報
【特許文献５】特許第３１０９５０７号公報
【発明の開示】
【発明が解決しようとする課題】
【０００９】
従来、撮影ブース内に備えられる椅子などの姿勢補助手段は、特許文献１〜４に開示されているように、撮影ブース内に固定されており、このように姿勢補助手段が固定されてしまうと、ユーザが好みの写真を撮影する際に支障をきたす場合がある。
【００１０】
例えばユーザが姿勢補助手段を使用しない写真を撮影する場合には、ユーザの背後に姿勢補助手段が写り込むことは好ましくなく、また、ユーザは、被写体の人数に応じて、撮影手段であるカメラと被写体との間に、全員が写るように適宜の距離を置こうとするが、このような場合に、姿勢補助手段が撮影ブース内に固定されていると、かえって撮影の邪魔になってしまう恐れがある。
【００１１】
しかしながら、姿勢補助手段を撮影ブース内に固定することの背景には、姿勢補助手段を移動自在にした場合に、背景手段であるカーテンと姿勢補助手段とが接触したり、姿勢補助手段とカーテンとの間に入り込んだユーザとカーテンとが接触したりして、カーテンにシワができることがあり、シワが生じた状態で写真撮影が行われると、背景が綺麗な状態で写真撮影を行うことができないばかりか、撮影画像と編集画像との合成処理を好適に行えなくなることがある。そうなると、写真の仕上がり具合にも悪影響を及ぼす恐れがある。
【００１２】
そこで本発明はこのような問題を解決して、写真自動撮影装置の撮影ブース内において、ユーザの好みに応じた位置で姿勢補助手段を利用することにより、ユーザが思い思いの撮影位置で写真撮影でき、また、ユーザが好みに応じた位置で姿勢補助手段を利用する場合に、姿勢補助手段と背景手段との接触を防止して、写真の仕上がり具合を良好に保つことを目的とする。
【課題を解決するための手段】
【００１３】
上記課題を解決するために請求項１記載の発明は、撮影ブース内の被写体を撮影する撮影手段と、前記撮影ブースに設けられ、前記被写体の背景となる背景手段と、前記撮影ブース内で移動可能に設けられ、前記被写体の撮影ポーズの形成を補助する姿勢補助手段とを備えたものである。
【００１４】
このような構成によると、被写体の撮影ポーズの形成を補助する姿勢補助手段が撮影ブース内で移動可能に設けられていることで、被写体であるユーザは、撮影したい写真のイメージに合わせて姿勢補助手段を適宜の位置に移動させることができ、所望の写真撮影を行うことができる。例えばユーザは、ユーザの背後に姿勢補助手段を写り込ませたくない場合には、撮影範囲外に姿勢補助手段を移動することができ、また、被写体の人数に応じて撮影手段と被写体との間に適宜の距離を置こうとする場合には、被写体とともに姿勢補助手段を移動させることができるので、思い通りの撮影位置で、所望の写真撮影を行うことができる。
【００１５】
請求項２記載の発明は、請求項１記載の写真自動撮影装置において、姿勢補助手段は、被写体を載置可能な載置部を有し、前記載置部は、前記姿勢補助手段における最も背景手段側の箇所よりも、前記背景手段から前記被写体に向かう側に設けられ、前記背景手段との間に空間を隔てているものである。
【００１６】
このような構成によると、被写体を載置可能な載置部が、姿勢補助手段における最も背景手段側の箇所よりも、前記背景手段から前記被写体に向かう側に設けられ、前記背景手段との間に空間を隔てていることにより、ユーザは載置部に座った状態で写真撮影を行うことができるとともに、ユーザが姿勢補助手段と背景手段との間に入り込んで写真撮影を行うことができる。したがって、ユーザは、思い思いの撮影位置において写真撮影を行うことができ、より個性的な写真を撮影することができる。
【００１７】
請求項３記載の発明は、請求項２記載の写真自動撮影装置において、姿勢補助手段における、背景手段側の背面部が、前記背景手段から被写体に向かう側に傾斜しているものである。
【００１８】
このような構成によると、ユーザが姿勢補助手段と背景手段との間に入り込んで写真撮影を行おうとする場合に、ユーザは背面部の傾斜に合わせて載置部側にもたれるようにして近付くことができ、これにより、ユーザが背景手段側とは反対側に傾斜する姿勢になるので、撮影時に、ユーザが誤って背景手段に接触したり、背景手段側に転倒したりしないようにすることができる。したがって、ユーザと背景手段との接触を防止して、仕上がり具合の良好な写真を得ることができる。
【００１９】
請求項４記載の発明は、請求項２または３に記載の写真自動撮影装置において、載置部における、背景手段から被写体に向かう方向とは垂直な幅方向の少なくとも一方側に、把持部が設けられているものである。
【００２０】
このような構成によると、ユーザは把持部を握ることで、より安定した撮影ポーズを形成することができ、所望の写真撮影を楽な姿勢で容易に行うことができる。さらに、姿勢補助手段における背景手段側から載置部を乗り越えて反対側に移動しようとするユーザがいる場合においても、このユーザは、把持部を掴むことで、載置部を乗り越える際に姿勢が不安定になることなく、載置部を安全に乗り越えることができる。
【００２１】
請求項５記載の発明は、請求項２〜４の何れか１項に記載の写真自動撮影装置において、姿勢補助手段における、載置部よりも背景手段側であって前記載置部よりも低い位置に、足場が設けられているものである。
【００２２】
このような構成によると、ユーザは足場に立つことで、より個性的な撮影ポーズを安定して形成することができ、所望の写真撮影を容易に行うことができる。さらに、姿勢補助手段における背景手段側から載置部を乗り越えて反対側に移動しようとするユーザがいる場合においても、このユーザは、足場を利用することができ、載置部を容易にかつ安全に乗り越えることができる。
【００２３】
請求項６記載の発明は、請求項５記載の写真自動撮影装置において、足場は、姿勢補助手段における背面部から、背景手段から被写体に向かう側に設けられているものである。
【００２４】
このような構成によると、ユーザが姿勢補助手段を背景手段側から引っ張って移動させる際に、例えば足場が背面部から背景手段側に突出して設けられている場合に比べ、足場とユーザの足とが接触しないようにすることができる。
【００２５】
請求項７記載の発明は、請求項２〜６の何れか１項に記載の写真自動撮影装置において、姿勢補助手段の背景手段側における載置部よりも低い位置に、取っ手部が設けられているものである。
【００２６】
このような構成によると、姿勢補助手段の背景手段側における載置部よりも低い位置に、取っ手部が設けられていることにより、ユーザが撮影ポーズをとるときに、取っ手部がユーザの手元に位置するので、ユーザは、取っ手部を握ることで撮影ポーズを安定させることができる。また、ユーザが姿勢補助手段を背景手段側から引っ張って移動させる際に、ユーザは取っ手部を持つことができ、姿勢補助手段の移動を容易に行うことができる。
【００２７】
請求項８記載の発明は、請求項２〜７の何れか１項に記載の写真自動撮影装置において、載置部は、姿勢補助手段における幅方向の少なくとも一方の端部よりも幅方向内側に設けられているものである。
【００２８】
このような構成によると、載置部が、姿勢補助手段における幅方向の少なくとも一方の端部よりも幅方向内側に設けられていることにより、前記載置部における幅方向内側に設けられている側にユーザがいる場合に、このユーザは、幅方向内側向きに傾斜する姿勢で撮影ポーズをとることができる。すなわち、撮影時に撮影範囲のより内側に容易に入ることができ、所望の写真撮影を行うことができる。
【００２９】
請求項９記載の発明は、請求項８記載の写真自動撮影装置において、姿勢補助手段における幅方向の両端の側面部のうちの少なくとも一つの側面部が、載置部側に傾斜しているものである。
【００３０】
このような構成によると、載置部側に傾斜している側面部に対応する位置にいるユーザは、幅方向内側向きに傾斜する姿勢で撮影ポーズをとることができる。すなわち、撮影時に撮影範囲のより内側に容易に入ることができ、所望の写真撮影を行うことができる。
【００３１】
請求項１０に記載の発明は、請求項１〜９の何れか１項に記載の写真自動撮影装置において、姿勢補助手段は、撮影ブースの床面に接触して前記姿勢補助手段の移動を支援する移動支援手段を備えるものである。
【００３２】
このような構成によると、移動支援手段が設けられていない場合に比べ、撮影ブース内において姿勢補助手段を円滑に移動させることができる。
【００３３】
請求項１１に記載の発明は、請求項１０記載の写真自動撮影装置において、移動支援手段は、撮影ブース内における撮影手段と背景手段との間の方向の移動を許容し、前記方向と交わる方向の移動を抑制するガイド手段を備えるものである。
【００３４】
このような構成によると、姿勢補助手段はガイド手段により、撮影手段と背景手段との間の方向を真っ直ぐに移動するので、例えば姿勢補助手段が撮影ブースの中央に配置されている場合であれば、移動後の姿勢補助手段が撮影ブースの片側に寄ることはなく、したがって、被写体としてのユーザは、姿勢補助手段の位置調整を容易に行うことができ、撮影時間の短縮を図ることができる。さらに、例えば、姿勢補助手段を撮影ブース内から外に出すといったいたずらをしようとするユーザがいる場合、姿勢補助手段を撮影ブースの外に出すためには、姿勢補助手段を撮影手段と背景手段との間の方向と交わる方向に移動させる必要があるが、姿勢補助手段は、ガイド手段により、前記交わる方向への移動を抑制されているので、このようないたずらを未然に防止することができる。
【００３５】
請求項１２記載の発明は、請求項１０または１１に記載の写真自動撮影装置において、移動支援手段は、撮影ブースの床面に対して弾性的に出退可能に構成され、姿勢補助手段は、前記床面よりも高い位置に、前記姿勢補助手段を前記床面に対して支持可能な支持部を備えるものである。
【００３６】
このような構成によると、姿勢補助手段に被写体からの鉛直方向の荷重が作用しないとき、すなわち被写体であるユーザが姿勢補助手段に座るなどしていないときには、移動支援手段が姿勢補助手段を撮影ブースの床面に対して支持するので、姿勢補助手段の移動を簡単に行うことができ、姿勢補助手段に前記荷重が作用したとき、すなわちユーザが撮影ポーズを形成する際に体重をかけたときには、移動支援手段が前記床面に対して退いて、姿勢補助手段が下降し、支持部が前記床面に接触して姿勢補助手段を支持することができるので、ユーザが撮影ポーズを形成する際に姿勢補助手段がふらつくことを防止し、ユーザが形成した撮影ポーズを安定させることができる。
【００３７】
請求項１３記載の発明は、請求項１０〜１２の何れか１項に記載の写真自動撮影装置において、移動支援手段は、姿勢補助手段の内側に取り付けられているものである。
【００３８】
このような構成によると、姿勢補助手段を移動させたり、撮影ポーズを形成したりする際に、移動支援手段が姿勢補助手段の外側に向けて取り付けられている場合に比べて、移動支援手段が邪魔にならず、この移動支援手段が被写体であるユーザの足に当たることなどを防止することができる。
【００３９】
請求項１４記載の発明は、請求項１０〜１３の何れか１項に記載の写真自動撮影装置において、移動支援手段は、キャスターであるものである。
【００４０】
このような構成によると、移動支援手段として、汎用のキャスターを用いることで、例えば特殊で複雑な機構を備えた移動支援手段を用いる場合に比べ、低コスト化を図ることができる。
【００４１】
請求項１５記載の発明は、請求項１〜１４の何れか１項に記載の写真自動撮影装置において、背景手段に対して姿勢補助手段が所定位置よりも近づくことを制限する移動制限手段を備えたものである。
【００４２】
このような構成によると、ユーザが姿勢補助手段を撮影ブース内において自在に移動させた場合であっても、移動制限手段により、姿勢補助手段が背景手段に対して所定位置よりも近づくことを防止することができ、姿勢補助手段と背景手段との間に所定の距離を保つことができる。したがって、姿勢補助手段と背景手段との接触を確実に防止することができ、また、ユーザが、この移動制限手段よりも背景手段側に近付かないように注意を促すことで、ユーザと背景手段との接触も防止することができ、仕上がり具合の良好な写真を得ることができる。
【００４３】
請求項１６記載の発明は、請求項１５記載の写真自動撮影装置において、移動制限手段は、背景手段に対する所定位置において姿勢補助手段と接触する突部であるものである。
【００４４】
このような構成によると、撮影ブース内においてユーザが姿勢補助手段を自在に移動させた場合であっても、姿勢補助手段と突部とが接触することで、姿勢補助手段が背景手段に対して所定位置よりも近づくことを防止することができ、姿勢補助手段と背景手段との間に所定の距離を保つことができる。したがって、姿勢補助手段と背景手段との接触を確実に防止するとともに、ユーザと背景手段との接触を防止して、写真の仕上がり具合を良好に保つことができる。
【００４５】
請求項１７記載の発明は、請求項１５記載の写真自動撮影装置において、移動制限手段は、撮影ブースの幅方向の寸法を、被写体から背景手段に向かう方向に沿って、姿勢補助手段の幅寸法よりも狭めるブース幅調整部であるものである。
【００４６】
このような構成によると、撮影ブース内においてユーザが姿勢補助手段を自在に移動させた場合であっても、ブース幅調整部は、撮影ブースの幅方向の寸法を、被写体から背景手段に向かう方向に沿って、姿勢補助手段の幅寸法よりも狭めるので、姿勢補助手段が背景手段に対して所定位置よりも近づくことを防止することができ、姿勢補助手段と背景手段との間に所定の距離を保つことができるので、姿勢補助手段と背景手段との接触を確実に防止するとともに、ユーザと背景手段との接触を防止して、写真の仕上がり具合を良好に保つことができる。
【００４７】
請求項１８記載の発明は、請求項２〜１７の何れか１項に記載の写真自動撮影装置において、姿勢補助手段は、階段状に形成されて複数の段部を有し、前記複数の段部のうち最も高い位置の段部に載置部が設けられているものである。
【００４８】
このような構成によると、複数の段部を有することで、より多くのユーザがこれらの段部を利用して撮影ポーズを形成することができ、所望の写真撮影を容易に行うことができる。
【００４９】
請求項１９記載の発明は、請求項１〜１８の何れか１項に記載の写真自動撮影装置において、撮影ブースにおける背景手段に対向する位置に筐体が設けられ、前記筐体には、姿勢補助手段の少なくとも一部を収納可能な収納空間が形成されているものである。
【００５０】
このような構成によると、ユーザが撮影画像に姿勢補助手段を写り込ませたくない場合には、この姿勢補助手段の少なくとも一部を筐体における収納空間に収納することで、撮影画像に姿勢補助手段を写り込ませないようにすることができる。また、このように姿勢補助手段の少なくとも一部を筐体の収納空間に収納することで、ユーザは撮影ブースをより広く利用することができる。さらに、姿勢補助手段の少なくとも一部が筐体の収納空間に収納されている状態では、ユーザは、姿勢補助手段をひじ置き替わりにすることで、アップ撮影時のポーズを安定させることができる。
【００５１】
請求項２０記載の発明は、撮影ブース内の被写体を撮影する撮影手段を備えた写真自動撮影装置における前記撮影ブース内に設けられ、前記被写体の撮影ポーズの形成を補助する写真自動撮影装置用姿勢補助具であって、前記撮影ブース内において移動可能に構成されているものである。
【００５２】
このような構成によると、写真自動撮影装置用姿勢補助具が撮影ブース内で移動可能に設けられていることで、被写体であるユーザは、撮影したい写真のイメージに合わせて姿勢補助具を適宜の位置に移動させることができ、所望の写真撮影を行うことができる。例えばユーザは、ユーザの背後に姿勢補助具を写り込ませたくない場合には、撮影範囲外に姿勢補助具を移動することができ、また、被写体の人数に応じて撮影手段と被写体との間に適宜の距離を置こうとする場合には、被写体とともに姿勢補助具を移動させることができるので、思い通りの撮影位置で、所望の写真撮影を行うことができる。
【００５３】
請求項２１記載の発明は、請求項２０記載の写真自動撮影装置用姿勢補助具において、天面に被写体を載置可能な載置部を有し、複数の側面部のうちの少なくとも一つの側面部が前記載置部の中央側に傾斜しているものである。
【００５４】
このような構成によると、天面に被写体を載置可能な載置部を有し、複数の側面部のうちの少なくとも一つの側面部が前記載置部の中央側に傾斜しているので、例えば、傾斜している側面部が、撮影時に背景側となる場合であれば、ユーザが姿勢補助手段と背景手段との間に入り込んで写真撮影を行うことができる。したがって、ユーザは、思い思いの撮影位置において写真撮影を行うことができ、より個性的な写真を撮影することができる。またこの場合、ユーザは前記側面部の傾斜に合わせて載置部側にもたれるようにして近付くことができ、これにより、撮影時に、ユーザが誤って背景に接触したり、背景側に転倒したりしないようにすることができる。また、傾斜している側面部が、撮影時にユーザの左右となる箇所であれば、載置部側に傾斜している側面部に対応する位置にいるユーザは、載置部側に傾斜する姿勢で撮影ポーズをとることで、撮影時に撮影範囲のより内側に容易に入ることができ、所望の写真撮影を行うことができる。
【００５５】
請求項２２記載の発明は、請求項２１記載の写真自動撮影装置用姿勢補助具において、傾斜している側面部のうちの少なくとも一つに取っ手部が設けられているものである。
【００５６】
このような構成によると、ユーザは、取っ手部を握ることで撮影ポーズを安定させることができる。また、例えば、傾斜している側面部が、撮影時に背景側となる場合であれば、ユーザが姿勢補助具を背景側から引っ張って移動させる際に、ユーザは取っ手部を持つことができ、姿勢補助手段の移動を容易に行うことができる。
【００５７】
請求項２３記載の発明は、請求項２１または２２に記載の写真自動撮影装置用姿勢補助具において、傾斜している側面部のうちの少なくとも一つの側面部における、載置部よりも低い位置に、足場が設けられているものである。
【００５８】
このような構成によると、ユーザは足場に立つことで、より個性的な撮影ポーズを安定して形成することができ、所望の写真撮影を容易に行うことができる。また、載置部を乗り越えて反対側に移動しようとするユーザがいる場合においても、このユーザは、足場を利用することができ、載置部を容易にかつ安全に乗り越えることができる。
【００５９】
請求項２４記載の発明は、請求項２３記載の写真自動撮影装置用姿勢補助具において、足場は、側面部から内側に向けて設けられているものである。
【００６０】
このような構成によると、例えば、傾斜している側面部が、撮影時に背景側となる場合であれば、ユーザが姿勢補助具を背景側から引っ張って移動させる際に、例えば足場が背面部から背景手段側に突出して設けられている場合に比べ、足場とユーザの足とが接触しないようにすることができる。
【００６１】
請求項２５記載の発明は、請求項２１〜２４の何れか１項に記載の写真自動撮影装置用姿勢補助具において、載置部における少なくとも一端側に、把持部が設けられているものである。
【００６２】
このような構成によると、ユーザは把持部を握ることで、より安定した撮影ポーズを形成することができ、所望の写真撮影を楽な姿勢で容易に行うことができる。また、載置部を乗り越えて反対側に移動しようとするユーザがいる場合においても、このユーザは、把持部を掴むことで、載置部を乗り越える際に姿勢が不安定になることなく、載置部を安全に乗り越えることができる。
【００６３】
請求項２６記載の発明は、請求項２１〜２５の何れか１項に記載の写真自動撮影装置用姿勢補助具において、階段状に形成されて複数の段部を有し、前記複数の段部のうち最も高い位置の段部に載置部が設けられているものである。
【００６４】
このような構成によると、階段状に形成されて複数の段部を有し、前記複数の段部のうち最も高い位置の段部に載置部が設けられているので、複数の段部を有することで、より多くのユーザがこれらの段部を利用して撮影ポーズを形成することができ、所望の写真撮影を容易に行うことができる。
【００６５】
請求項２７記載の発明は、請求項２０〜２６の何れか１項に記載の写真自動撮影装置用姿勢補助具において、撮影ブースの床面に接触して移動を支援する移動支援手段を備えるものである。
【００６６】
このような構成によると、移動支援手段が設けられていない場合に比べ、撮影ブース内において写真自動撮影装置用姿勢補助具を円滑に移動させることができる。
【００６７】
請求項２８記載の発明は、請求項２７記載の写真自動撮影装置用姿勢補助具において、移動支援手段は、撮影ブース内における撮影手段と背景手段との間の方向の移動を許容し、前記方向と交わる方向の移動を抑制するガイド手段を備えるものである。
【００６８】
このような構成によると、写真自動撮影装置用姿勢補助具はガイド手段により、撮影手段と背景手段との間の方向を真っ直ぐに移動するので、例えば写真自動撮影装置用姿勢補助具が撮影ブースの中央に配置されている場合であれば、移動後の写真自動撮影装置用姿勢補助具が撮影ブースの片側に寄ることはなく、したがって、被写体としてのユーザは、写真自動撮影装置用姿勢補助具の位置調整を容易に行うことができ、撮影時間の短縮を図ることができる。さらに、例えば、写真自動撮影装置用姿勢補助具を撮影ブース内から外に出すといったいたずらをしようとするユーザがいる場合、写真自動撮影装置用姿勢補助具を撮影ブースの外に出すためには、写真自動撮影装置用姿勢補助具を撮影手段と背景手段との間の方向と交わる方向に移動させる必要があるが、写真自動撮影装置用姿勢補助具は、ガイド手段により、前記交わる方向への移動を抑制されているので、このようないたずらを未然に防止することができる。
【００６９】
請求項２９記載の発明は、請求項２７または２８に記載の写真自動撮影装置用姿勢補助具において、撮影ブースの床面よりも高い位置に前記床面に対して支持可能な支持部を備え、移動支援手段は、撮影ブースの床面に対して弾性的に出退可能に構成されているものである。
【００７０】
このような構成によると、写真自動撮影装置用姿勢補助具に被写体からの鉛直方向の荷重が作用しないとき、すなわち被写体であるユーザが写真自動撮影装置用姿勢補助具に座るなどしていないときには、移動支援手段が写真自動撮影装置用姿勢補助具を撮影ブースの床面に対して支持するので、写真自動撮影装置用姿勢補助具の移動を簡単に行うことができ、写真自動撮影装置用姿勢補助具に前記荷重が作用したとき、すなわちユーザが撮影ポーズを形成する際に体重をかけたときには、移動支援手段が前記床面に対して退いて、写真自動撮影装置用姿勢補助具が下降し、支持部が前記床面に接触して写真自動撮影装置用姿勢補助具を支持することができるので、ユーザが撮影ポーズを形成する際に写真自動撮影装置用姿勢補助具がふらつくことを防止し、ユーザが形成した撮影ポーズを安定させることができる。
【００７１】
請求項３０記載の発明は、請求項２７〜２９の何れか１項に記載の写真自動撮影装置用姿勢補助具において、移動支援手段が内側に取り付けられているものである。
【００７２】
このような構成によると、写真自動撮影装置用姿勢補助具を移動させたり、撮影ポーズを形成したりする際に、移動支援手段が写真自動撮影装置用姿勢補助具の外側に向けて取り付けられている場合に比べて、移動支援手段が邪魔にならず、この移動支援手段が被写体であるユーザの足に当たることなどを防止することができる。
【００７３】
請求項３１記載の発明は、請求項２７〜３０の何れか１項に記載の写真自動撮影装置用姿勢補助具において、移動支援手段は、キャスターであるものである。
【００７４】
このような構成によると、移動支援手段として、汎用のキャスターを用いることで、例えば特殊で複雑な機構を備えた移動支援手段を用いる場合に比べ、低コスト化を図ることができる。
【発明の効果】
【００７５】
以上のように本発明によれば、写真自動撮影装置の撮影ブース内において、ユーザの好みに応じた位置で姿勢補助手段を利用することにより、ユーザが思い思いの撮影位置で写真撮影でき、また、ユーザが好みに応じた位置で姿勢補助手段を利用する場合に、利用する姿勢補助手段と背景手段、ユーザと背景手段とが接触することを防止して、仕上がり具合の良好な写真を得ることができる。
【発明を実施するための最良の形態】
【００７６】
（実施の形態１）
本発明の実施の形態を、図１〜図２１を参照しながら説明する。図１は、本発明の実施の形態の写真自動撮影装置１の斜視図、図２は、写真自動撮影装置１の側面図、図３は、写真自動撮影装置１の平面図、図４は、筐体３を背面側から見た斜視図である。
【００７７】
図１〜図３に示すように、写真自動撮影装置１は、被写体を撮影する撮影手段であるカメラ２を備えるとともに種々の処理および制御を行う機器を備える筐体３と、この筐体３におけるカメラ２と対向する位置に距離を置いて設けられている背景ユニット４と、筐体３と背景ユニット４の上部に左右一対の天井フレーム５が架設されて形成される撮影ブース６内に移動可能に設けられ、被写体であるユーザ７の撮影ポーズの形成を補助する姿勢補助手段（写真自動撮影装置用姿勢補助具）としての撮影用椅子８とを備える。
【００７８】
筐体３におけるユーザ７に対向する側（以下、ユーザ側と記す）の面には、カメラ２のほか、カメラ２が現在撮影している画像をユーザ７に対してリアルタイムで表示するライブモニタ９と、ユーザ７からの操作入力を受け付ける操作部１０と、デモ画面や撮影操作の手順等をユーザ７に対して表示するディスプレイ１１と、コインを投入するためのコイン投入口１２と、撮影用椅子８の一部を収納するために凹状に形成された収納スペース１３と、筐体３内に収容された各種機器のメンテナンス用のフロントドア１４と、図示は省略するが、撮影操作時に音声案内やＢＧＭを出力する撮影側スピーカとが設けられている。
【００７９】
また、この筐体３のユーザ側とは反対側（以下、背面側と記す）の面には、図２〜図４に示すように、撮影ブース６において撮影した画像を表示して付属のタッチペン２０によりユーザ７からの編集画像の入力を受け付けるタブレットディスプレイ２１と、図示は省略するが、編集入力操作時に音声案内やＢＧＭを出力する編集側スピーカとが設けられている。なお、図中の２２Ａは、この筐体３の背面側が面する空間であってユーザ７が編集入力操作を行うスペースである編集ブースである。
【００８０】
さらに、図１〜図４に示すように、この筐体３の一方の側面部にはプリント取出口２３が設けられ、このプリント取出口２３からは、撮影画像と編集入力した画像とを合成した合成画像（編集画像を入力しなかった場合には撮影画像）が筐体３に収納されたプリンタによってシールシートなどの印刷媒体に印刷されたものが排出される。
【００８１】
撮影ブース６の床面における背景ユニット４側の位置には、背景ユニット４から筐体３側に所定の距離ｓを置いた箇所に、撮影ブース６の床面よりも高さのある移動制限手段としての段部３２が設けられている。
【００８２】
一方、図１〜図３に示すように、背景ユニット４におけるユーザ７に対向する側（以下、ユーザ側と記す）の上部には、撮影時にユーザ７の背景となる背景手段としての背景カーテン３０を複数種類備えたカーテンユニット３１が設けられている。それぞれの背景カーテン３０は、カーテンユニット３１内に巻き取られた状態で収納されており、カーテンユニット３１は、ユーザ７から操作部１０への操作を介して指定された背景カーテン３０を、背景ユニット４の壁面に沿って垂下させる。
【００８３】
また、背景ユニット４におけるユーザ側とは反対側（以下、背面側と記す）には、筐体３と同様、撮影ブース６において撮影した画像を表示して付属のタッチペン２０によりユーザ７からの編集画像の入力を受け付けるタブレットディスプレイ２１と、図示は省略するが、編集入力操作時に音声案内やＢＧＭを出力する編集側スピーカとが設けられている。なお、図中の２２Ｂは、この背景ユニット４の背面側が面する空間であってユーザ７が編集入力操作を行うスペースである編集ブースである。上記の撮影ブース６および編集ブース２２Ａ、２２Ｂの周囲には、ユーザ７がそれぞれのブースにおいて操作処理を行う際に、他の利用者から画像等の内容が見えないようにするための周囲カーテンが設けられているが、図面の煩雑化を避けるため、図示は省略している。
【００８４】
撮影ブース６内に配置される撮影用椅子８は、上述したように撮影ブース６の床面や壁面に固定されずに、撮影ブース６内において移動可能とされている。この撮影用椅子８の詳細を、図５〜図９を参照しながら説明する。なお、説明の便宜上、図１のように見て筐体３から背景ユニット４にかけての方向を撮影ブース６の長さ方向、長さ方向に垂直な水平方向を撮影ブース６の幅方向、長さ方向に垂直な鉛直方向を撮影ブース６の高さ方向とし、また、撮影用椅子８において、図２のように見てユーザ７に対向する側を前側、背景ユニット４に対向する側を後ろ側とする。図５は、撮影用椅子８の側面図、図６は、撮影用椅子８の平面図、図７は、撮影用椅子８の斜視図である。
【００８５】
図５〜図７に示すように、撮影用椅子８は、骨格をなすフレーム４０と、このフレーム４０に固定され、ユーザ７が座ったり寝そべったりできるクッション素材製の座部４８Ａ、４８Ｂと、フレーム４０の前側における左右の下部に設けられた半球面キャップ４９と、フレーム４０の後ろ側における左右の下部に設けられたキャスター５０とを有する。このように、撮影用椅子８は、フレーム４０の前側に半球面キャップ４９、後ろ側にキャスター５０を有することで、撮影ブース６内において移動可能に構成されている。なお、座部４８Ａ、４８Ｂのうち、高い位置にある座部４８Ｂが、載置部に相当し、図８に示すように、撮影用椅子８の構成が座部４８を一つ備えた構成である場合には、当然のごとくこの座部４８が載置部に相当する。
【００８６】
フレーム４０は、前側に傾斜している背面部４１、および座部４８Ａ、４８Ｂが取り付けられる段差部４２ａ、４２ｂを有する外形フレーム４３Ａ、４３Ｂと、外形フレーム４３Ａと外形フレーム４３Ｂとにわたって設けられている補強フレーム４４と、外形フレーム４３Ａと外形フレーム４３Ｂのそれぞれの段差部４２ａ、４２ｂにわたって設けられている座部補強フレーム４５と、座部４８Ｂよりも低い位置であってフレーム４０の後端よりも前側の位置に、外形フレーム４３Ａと外形フレーム４３Ｂとにわたって設けられている足場としての足場フレーム４６とを有する。このように、外形フレーム４３Ａ、４３Ｂにおける背面部４１が前側に傾斜していることで、座部４８Ｂは、撮影用椅子８の後端の位置よりも前側に取り付けられて、背景カーテン３０との間に空間を隔てた状態とされている。
【００８７】
また、それぞれのフレームどうしは、ねじ止めや溶接等の適宜の方法により、互いに強固に接続されている。上記の外形フレーム４３Ａ、４３Ｂ、補強フレーム４４および足場フレーム４６の横断面形状は中空の円形状であるが、座部補強フレーム４５は、大きな荷重がかかる座部４８Ａ、４８Ｂの下部に設けられるため、その横断面形状は中空の長方形状とされ、外形フレーム４３Ａ、４３Ｂに、より強固に接続されて座部４８Ａ、４８Ｂを十分に支持できるように構成されている。
【００８８】
さらに、この撮影用椅子８における段差部４２ａおよびその上部に取り付けられている座部４８Ａは、長さ寸法、幅寸法、高さ寸法ともに筐体３における収納スペース１３（図１および図２参照）に収納可能な大きさに形成されている。
【００８９】
なお、撮影用椅子８の幅方向の寸法は、図３に示すように、撮影用椅子８が撮影ブース６内で移動できるように、撮影ブース６の幅方向の寸法よりも小さく形成されているが、複数のユーザ７が撮影する場合を考慮して、図９に示すように、撮影用椅子８の左右両側においてもユーザ７が撮影ポーズをとれるように、撮影ブース６の幅寸法よりも十分に小さくしても良い。
【００９０】
以上のような構成において、ユーザ７が撮影用椅子８を利用して、写真撮影時に撮影ポーズをとる例を、図１０〜図１２を参照しながら説明する。図１０は、座部４８Ａに座って撮影ポーズをとるユーザ７ａと、撮影用椅子８の後ろ側において撮影ポーズをとるユーザ７ｂとを撮影する場合を示す図、図１１は、多数のユーザ７ａ〜７ｃを撮影するために、図１０の場合よりも撮影用椅子８を背景カーテン３０側に移動させて撮影する場合を示す図、図１２は、ユーザ７がアップ撮影をする場合を示す図である。
【００９１】
図１０に示すように、座部４８Ａに座って撮影ポーズをとるユーザ７ａと、撮影用椅子８の後ろ側において撮影ポーズをとるユーザ７ｂとがいる場合、撮影用椅子８における外形フレーム４３Ａ、４３Ｂにおける背面部４１が前側に傾斜して形成されて、座部４８Ｂが、撮影用椅子８の後端よりも前側に取り付けられ、かつ、座部４８Ｂと背景カーテン３０との間に空間が隔てられていることで、ユーザ７ｂは、撮影用椅子と背景カーテン３０との間に入り込むことができるとともに、撮影用椅子８の後端位置から前側の座部４８Ｂに向けてもたれかかるようにして、前傾姿勢で撮影ポーズをとることができる。これにより、撮影時に、ユーザ７ｂが誤って背景カーテン３０に接触したり、背景カーテン３０側に転倒したりしないようにすることができる。したがって、ユーザ７ｂと背景カーテン３０との接触を防止し、背景カーテン３０にシワが発生することを防止することで、背景の綺麗な写真を撮影することができるとともに、撮影した画像と編集入力された画像との合成処理を好適に行うことができ、仕上がり具合の良好な写真を得ることができる。
【００９２】
また、このとき、撮影用椅子８の前側に設けられている半球面キャップ４９は、撮影用椅子８の移動を許容するがキャスター５０に比べて移動を抑制するので、ユーザ７ｂが撮影用椅子８に対して前傾姿勢をとっても、撮影用椅子８が動かないように安定させることができる。これにより、ユーザ７ｂは、所望の撮影ポーズを簡単にとることができ、撮影ポーズの形成に時間がかからないので、撮影時間を短縮することができる。
【００９３】
次に、図１１に示すように、多数のユーザ７ａ〜７ｃを撮影する場合、ユーザ７ａ〜７ｃは、全員がカメラ２の撮影範囲に入るように、カメラ２と適宜の距離を置こうとする。このとき、撮影用椅子８が撮影ブース６内において移動可能に構成されているので、ユーザ７ａ〜７ｃは、撮影ブース６の最も後ろ側まで撮影用椅子８を移動させることができる。このように、ユーザ７ａ〜７ｃは、撮影に適した思い通りの様々な位置に撮影用椅子８を移動させ、この移動させた撮影用椅子８を用いて様々な撮影ポーズをとることができ、所望の写真撮影を行うことができる。
【００９４】
またこのとき、ユーザ７ａ〜７ｃが、撮影用椅子８を背景カーテン３０側に移動させすぎても撮影ブース６の床面の後ろ側には段部３２が設けられており、撮影用椅子８がこの段部３２に接触することで、撮影用椅子８がそれ以上背景カーテン３０側に近寄ることを防止することができる。これにより、撮影用椅子８と背景カーテン３０との接触を防止し、背景カーテン３０にシワが発生することを防止する。したがって、背景の綺麗な写真を撮影することができるとともに、撮影した画像と編集入力された画像との合成処理を好適に行うことができ、仕上がり具合の良好な写真を得ることができる。またこのとき、段部３２に、例えば「台よりも前で撮影してね」という注意書きを表示しておけば、ユーザ７と背景カーテン３０との接触を防止することができる。
【００９５】
さらに、撮影用椅子８における、座部４８Ｂよりも低い位置であってフレーム４０の後端よりも前側の位置に、すなわちフレーム４０の背面部４１の下部に、外形フレーム４３Ａと外形フレーム４３Ｂとにわたって足場フレーム４６が設けられているので、撮影用椅子８の後ろ側にいるユーザ７ｃは、この足場フレーム４６に立つことで、より個性的な撮影ポーズを安定して形成することができる。また、このユーザ７ｃが、撮影用椅子８の座部４８Ｂを乗り越えて前側に移動しようとする場合には、このユーザ７ｃは、足場フレーム４６を利用することができ、座部４８Ｂを容易にかつ安全に乗り越えることができる。
【００９６】
次に、図１２に示すように、ユーザ７がアップ撮影を行う場合には、ユーザ７は、撮影用椅子８を筐体３側に移動させる。このとき、筐体３における正面側の下部に収納スペース１３が形成されていることで、ユーザ７はこの収納スペース１３に、撮影用椅子８における段差部４２ａおよび座部４８Ａを収納することができる。そして、ユーザ７は、筐体３に収納されていない座部４８Ｂをひじ置きとして利用して、アップ撮影を行うことができる。また、段差部４２ａおよび座部４８Ａが収納スペース１３に収納された場合に、撮影用椅子８がカメラ２の撮影範囲４７から外れるようにしておくことで、ユーザ７は、アップ撮影を行わない場合であっても、撮影画像に撮影用椅子８が入り込まないようにすることができる。
【００９７】
なお、上記においては半球面キャップ４９としては樹脂製のものを用いるが、撮影用椅子８と撮影ブース６の床面との摩擦をより小さくして、撮影用椅子８をさらに簡単に移動させる場合には、より硬性の樹脂や金属等を用いたり、半球面キャップ４９に替えてキャスター５０を用いたりしてもよい。逆に、撮影用椅子８と撮影ブース６の床面との摩擦をより大きくして、撮影用椅子８の移動を抑制し、挙動を安定させる場合には、半球面キャップ４９としては、より軟性のゴムなどの樹脂を用いるほか、半球面キャップ４９に替えて、撮影ブース６の床面と面接触するキャップ等を取り付けてもよい。また、これは、後部のキャスター５０についても同様であり、撮影用椅子８の移動を抑制し、挙動をより安定させる場合には、キャスター５０に替えて半球面キャップ４９を取り付けたり、撮影ブース６の床面と面接触するキャップ等を取り付けたりしてもよい。
【００９８】
上記においては、撮影用椅子８が、フレーム４０、座部４８Ａ、４８Ｂ、半球面キャップ４９およびキャスター５０を有する場合を説明したが、これに限られるものではなく、撮影ブース６内を移動可能とされる構成であり、かつ、撮影用椅子の後端よりも前側に載置部（座部）が設けられ、この載置部（座部）と背景カーテン３０との間に空間が隔てられる構成であれば、例えば、図１３に示す撮影用椅子５１であっても良い。
【００９９】
図１３に示すように、この撮影用椅子５１は、フレームなどの骨格が露出しないように表面をクッション素材で覆ったソファー状のものであり、２段の段差部５２ａ、５２ｂと、前側に傾斜する背面部５３と、背景カーテン３０との間に空間を隔てた状態で天面に設けられている座部５４（載置部）と、背面部５３から前側に向けて凹状に形成されている足場５５と、底面の複数箇所、例えば前後左右の４箇所に設けられたキャスター５０を有し、撮影ブース６の床面などに固定されず、撮影ブース６内を移動可能に構成されている。このような構成であっても、上記の撮影用椅子８と同じような作用効果を得ることができる。なお、このキャスター５０は、バネなどにより底面から撮影ブース６の床面に対して出退可能に設けられ、撮影用椅子５１が、単に撮影ブース６内に置かれている状態では、キャスター５０が下側に突出して容易に移動できる状態となり、撮影用椅子５１にユーザ７が座るなどして荷重がかかった場合にはキャスター５０が撮影用椅子５１の底面よりも内側に収容され、撮影用椅子５１の底面と撮影ブース６の床面とが接触して、撮影用椅子５１の移動が抑制される構成であっても良い。
【０１００】
さらに、上記の撮影用椅子８、５１においては、背面部４１、５３が前側に傾斜している場合を説明したが、これに限らず、撮影用椅子の後端よりも前側に載置部（座部）が設けられ、この載置部（座部）と背景カーテン３０との間に空間が隔てられる構成であれば、例えば、図１４に示す撮影用椅子６０であっても良い。
【０１０１】
図１４に示すように、この撮影用椅子６０は、撮影用椅子８と同様に、骨格をなすフレーム６１と、クッション素材製の座部４８Ａ、４８Ｂと、半球面キャップ４９と、キャスター５０とを有する構成であるが、フレーム６１の後ろ側は階段状に形成されて、載置部となる座部４８Ｂが、撮影用椅子の後端よりも前側に設けられ、背景カーテン３０との間に空間を隔てる構成とされている。このような構成であっても、上記の撮影用椅子８と同じような作用効果を得ることができる。
【０１０２】
また、上記において説明した撮影用椅子８、５１、６０とは異なる撮影用椅子７０を、図１５および図１６に示す。
【０１０３】
この撮影用椅子７０は、図１５および図１６に示すように、骨格をなすフレーム７１と、このフレーム７１に固定され、ユーザ７が座ったり寝そべったりできるクッション素材製の座部７９Ａ、７９Ｂとを有する。
【０１０４】
フレーム７１は、前側に傾斜している背面部７２、座部７９Ａ、７９Ｂが取り付けられる段差部７３ａ、７３ｂ、および段差部７３ｂの頂部に設けられている把持部７４を有する外形フレーム７５Ａ、７５Ｂと、外形フレーム７５Ａと外形フレーム７５Ｂのそれぞれの段差部７３ａ、７３ｂにわたって設けられている補強フレーム７６ａ〜７６ｄと、補強フレーム７６ｄに設けられている矩形状の取っ手部７７と、この取っ手部７７よりも低い位置に、外形フレーム７５Ａと外形フレーム７５Ｂとにわたって設けられている足場フレーム７８とを有する。座部７９Ａは、フレーム７１における補強フレーム７６ａ、７６ｂ上に取り付けられ、座部７９Ｂは、補強フレーム７６ｃ、７６ｄ上に取り付けられており、把持部７４は、座部７９Ｂよりも上方に突出した状態とされている。また、足場フレーム７８は、背面部７２よりも前側に向けて形成されている。
【０１０５】
このような構成によれば、上記の撮影用椅子８と同じような作用効果を得ることができるほか、取っ手部７７が形成されていることで、ユーザ７が撮影ポーズをとるときに、取っ手部７７がユーザ７の手元に位置するので、ユーザ７は、取っ手部７７を握ることで撮影ポーズを安定させることができる。また、図示は省略するが、ユーザ７が撮影用椅子７０を後ろ側から引っ張って移動させる際に、ユーザ７はこの取っ手部７７を持つことができ、撮影用椅子７０を容易に移動させることができる。また、足場フレーム７８が背面部７２よりも前側に向けて形成されていることにより、ユーザ７は、足場フレーム７８に載って撮影ポーズをとるときに、撮影ポーズをより安定させることができることができ、さらに、ユーザ７が撮影用椅子７０を後ろ側から引っ張って移動させるときに、例えば足場フレーム７８が背面部７２から後ろ側に突出して設けられている場合に比べ、足場フレーム７８がユーザ７の足に接触することを防止することができる。また、外形フレーム７５Ａ、７５Ｂの頂部に把持部７４が形成されていることで、ユーザ７は把持部７４を握ることで、より安定した撮影ポーズを形成することができ、所望の写真撮影を容易に行うことができる。さらに、撮影用椅子７０における後ろ側から座部７９Ｂを乗り越えて前側に移動しようとするユーザ７がいる場合においても、このユーザ７は、足場フレーム７８に足をかけて把持部７４を掴むことで、座部７９Ｂを乗り越える際に姿勢が不安定になることなく、座部７９Ｂを安全に乗り越えることができる。
【０１０６】
また、上記において説明した撮影用椅子８、５１、６０、７０においては、正面および背面部とは別の側面部の少なくとも一方を幅方向の内側に向けて傾斜させても良い。その一例として、撮影用椅子８の両方の側面部を幅方向の内側に傾斜させたものを、図１７および図１８を参照しながら説明する。図１７は、撮影用椅子８の側面部を幅方向の内側に向けて傾斜させた撮影用椅子８０の正面図、図１８は、撮影用椅子８０の使用状態を示す正面図である。
【０１０７】
この撮影用椅子８０は、上記の撮影用椅子８において、座部４８Ｂの幅方向の寸法が、座部４８Ａの幅方向の寸法よりも小さく形成されて、外形フレーム４３Ａ、４３Ｂが幅方向内側に傾斜している構成とされている。なお、撮影用椅子８０の幅方向の寸法は、撮影用椅子８０の左右両側においてもユーザ７が撮影ポーズをとれるように、撮影ブース６の幅寸法よりも十分に小さくされている。また、図中、撮影用椅子８の説明で用いたものと同様のものは、同じ符号を付すことでその詳細な説明は省略する。
【０１０８】
このような構成において、図１８に示すように、複数のユーザ、例えば４人のユーザ７ａ〜７ｄが撮影用椅子８０を用いて写真撮影をするときには、撮影用椅子８０の両側に位置するユーザ７ａおよび７ｄは、側面部の傾斜に応じて体を幅方向の内側に傾斜させる撮影ポーズをとることができ、ユーザ７ａおよびユーザ７ｄの顔は、カメラ２の撮影範囲４７のより内側に入ることができるので、ユーザ７ａ〜７ｄは所望の写真撮影を行うことができる。
【０１０９】
また、上記においては、移動制限手段が段部３２である場合を説明したが、これに限らず、背景ユニット４の壁面から前側に所定の距離ｓをおいた位置で、撮影用椅子８に接触することができるのであれば、例えば、図１９に示すように、撮影ブース６の床面に設けた突部９０であっても良い。また、上述した段部３２および突部９０は、所定の距離ｓにおいて撮影用椅子８と接触するのであれば、撮影ブース６の幅方向に沿って連続であっても連続でなくても良い。また、段部３２および突部９０は、撮影ブース６の側壁から幅方向内側に向けて突出させて設けても良い。
【０１１０】
さらに、上記においては、移動制限手段が段部３２や突部９０である場合を説明したが、これらのような場合のほか、図２０に示すように、撮影ブース６の側壁面９１に、撮影ブース６の前側から後ろ側に沿って撮影ブース６の幅方向の寸法を狭くし、背景ユニット４の壁面から所定の距離ｓにおいて、撮影ブース６の幅寸法を撮影用椅子８の幅寸法よりも小さくする三角形状のブース幅調整部９２を設けても良い。
【０１１１】
このような構成によると、図２０に示すように、ユーザが撮影用椅子８を、図中の仮想線にて示す状態から実線にて示す状態に移動させたときに、背景ユニット４の壁面から所定の距離ｓにおいて、撮影用椅子８が、ブース幅調整部９２によりこれ以上背景カーテン３０に近付くことを防止される。これにより、撮影用椅子８と背景カーテン３０とが接触することを防止することができる。
【０１１２】
さらに、このような三角形状のブース幅調整部９２により撮影用椅子８の移動を制限する場合、ブース幅調整部９２は撮影ブース６の側壁面９１に、向かい合った状態で対称に設けられているので、撮影用椅子８が背景ユニット４側に徐々に移動する際に、撮影用椅子８はブース幅調整部９２の形状に沿って、徐々に撮影ブース６の中央側に案内される。すなわち、このブース幅調整部９２は、背景ユニット４側に向かう方向に沿って、撮影用椅子８を撮影ブース６の中央側に案内するガイドの役割を果たす。したがって、撮影用椅子８がブース幅調整部９２に接触し、移動が制限される位置においては、撮影用椅子８は常に撮影ブース６の中央に位置するので、ユーザ７は、撮影用椅子８を撮影ブース６の中央に位置させた状態で、写真撮影を行うことができる。
【０１１３】
また、上記において、図２１に示すように、座部４８Ａを、クッション部９３とその上部に設けられた板部９４とからなるように構成し、ユーザ７が座部４８Ａに座った際に、座部４８Ａの幅方向わたって全体が、図中の仮想線にて示す状態から実線にて示す状態まで沈み込むようにすることで、カメラ２から所定の位置においては、座部４８Ａ全体がカメラ２の撮影範囲４７から外れるようにすることができる。これにより、ユーザ７は、より自分の好みに合致した写真を撮影することができる。
【０１１４】
上記のようにして、より個性的で自分の好みに合致した写真を満足に撮影したユーザ７は、撮影した画像が表示される編集ブース２２Ａ（または２２Ｂ）に移動し、タッチペン２０を用いて、撮影画像が表示されるタブレットディスプレイ２１に編集入力を行う。そして、編集入力が終わると、クロマキー合成が行われて生成された印刷用画像がシールシートに印刷されて排出されるプリント取出口２３に移動し、出力されるシールシートを取得して写真自動撮影装置の利用を終了する。
【０１１５】
このとき、上記の撮影用椅子８や段部３２などを用いて背景カーテン３０にシワが発生しないようにしたことで、シールシートに出力される画像は、背景カーテン３０にシワが発生していない、良好な仕上がり具合となっている。なお、上記の撮影処理、編集処理および印刷処理の詳細については、写真自動撮影装置の分野において既に公知であるので、本実施の形態においては説明を省略する。
【０１１６】
なお、図１３においては、撮影用椅子５１の下部に設けられたキャスター５０が撮影ブース６の床面に対して出退可能である場合を説明したが、さらに、このような出退可能なキャスターを備える撮影用椅子１００についての詳細を、以下、実施の形態２として図２２〜図２６を参照しながら説明する。
【０１１７】
（実施の形態２）
本発明の実施の形態２の撮影用椅子１００が設置される写真自動撮影装置は、撮影用椅子１００以外の箇所が実施の形態１で説明した写真自動撮影装置１と同様であるので、詳細な説明は省略し、ここでは、撮影用椅子１００が移動支援手段１０３を備える点に関することを重点的に説明する。図２２は撮影用椅子１００を示す斜視図、図２３は撮影用椅子１００の正面図、図２４は撮影用椅子１００の側面図、図２５は撮影用椅子１００の移動支援手段１０３近傍の拡大図であって、（ａ）は撮影用椅子１００にユーザ７からの荷重が作用していないときの側面図、（ｂ）はそのときの正面図、図２６は撮影用椅子１００の移動支援手段１０３近傍の拡大図であって、（ａ）は撮影用椅子１００にユーザ７からの荷重が作用しているときの側面図、（ｂ）はそのときの正面図である。
【０１１８】
図２２〜図２４に示すように、姿勢補助手段としての撮影用椅子１００は、骨格をなすフレーム１０１と、このフレーム１０１に固定され、ユーザ７が座ったり寝そべったりできるクッション素材製の座部１０２Ａ、１０２Ｂと、フレーム１０１の前後左右の下部に取り付けられた移動支援手段１０３とを有する。このように、撮影用椅子１００は、フレーム１０１の前後左右に移動支援手段１０３を有することで、撮影ブース６内において移動可能に構成されている。なお、座部１０２Ａ、１０２Ｂのうち、高い位置にある座部１０２Ｂが、載置部に相当する。
【０１１９】
フレーム１０１は、座部１０２Ａ、１０２Ｂが取り付けられる段差部１０１ａ、１０１ｂを有する外形フレーム１０４Ａ、１０４Ｂと、それぞれの外形フレームの下部において前後にわたって設けられている第１の補強フレーム１０５と、外形フレーム１０４Ａと外形フレーム１０４Ｂとにわたって設けられている第２の補強フレーム１０６と、外形フレーム１０４Ａと外形フレーム１０４Ｂのそれぞれの段差部１０１ａ、１０１ｂにわたって設けられている座部補強フレーム１０７とを有し、それぞれのフレームどうしは、ねじ止めや溶接等の適宜の方法により、互いに強固に接続されている。なお、実施の形態２における撮影用椅子１００の背面部は、実施の形態１にて説明した撮影用椅子８のように前側には傾斜しておらず、高さ方向に平行である。
【０１２０】
第１の補強フレーム１０５および第２の補強フレーム１０６は、外形フレーム１０４Ａ、１０４Ｂの下端部よりも少し上方に設けられ、外形フレーム１０４Ａ、１０４Ｂの前後の下端部は、撮影ブース６の床面６ａに向けて突出した状態とされており、この下端部に樹脂製のキャップ等が被せられて、撮影用椅子１００を支持可能な支持部１０８が設けられている。
【０１２１】
移動支援手段１０３は、第１の補強フレーム１０５と第２の補強フレーム１０６とがなす四角形状の四隅の位置でかつこの四角形状よりも内側、すなわち撮影用椅子１００の内側の位置に、固定板１０９を介して取り付けられている。この固定板１０９は、第１の補強フレーム１０５と第２の補強フレーム１０６とに溶接などの方法により固定されている
固定板１０９を介して取り付けられている移動支援手段１０３は、外形フレーム１０４Ａ、１０４Ｂにおける支持部１０８よりも床面６ａ側に突出した状態で、すなわち支持部１０８における床面６ａとの接触位置が、移動支援手段１０３における床面６ａとの接触位置よりも高くなるように取り付けられて、通常の状態、すなわちユーザからの鉛直方向下向きの荷重が作用していない状態では、これらの４個の移動支援手段１０３が撮影用椅子１００を床面６ａに対して支持し、支持部１０８は床面６ａに接触しないようにされている。
【０１２２】
次に、この移動支援手段１０３の詳細を、図２５および図２６を参照しながら説明する。なお、図２５および図２６に示す移動支援手段１０３は、図２２〜図２４において二点鎖線にて囲んだ位置のものである。
【０１２３】
図２５および図２６に示すように、移動支援手段１０３は、固定板１０９にねじ止めや溶接等の方法により固定される取付部１１０と、この取付部１１０の両端側から下方に向けて一体的に形成されているガイド手段としてのガイド部１１１と、このガイド部１１１の間に配置されている車輪１１２と、この車輪１１２の車軸１１２ａとガイド部１１１とにわたって設けられているねじりばね部１１３とを有する。
【０１２４】
ガイド部１１１の上部には一方が開口したＪ字型の第１の切欠き部１１１ａが形成されており、ガイド部１１１の下部における上下方向には車軸１１２ａを挿通可能な長円形状の第２の切欠き部１１１ｂが形成されている。また、ねじりばね部１１３は、一方側と他方側とが上端部１１３ａにおいてつながっており、下端部１１３ｂにおいては一方側と他方側とがつながっておらず、それぞれの下端部１１３ｂは車軸１１２ａの外面に巻き付いた状態で引っ掛かるようにカール状に形成されている。
【０１２５】
このねじりばね部１１３における上端部１１３ａが第１の切欠き部１１１ａにその開口側から通され、かつ、それぞれの下端部１１３ｂが、第２の切欠き部１１１ｂから突出した車軸１１２ａの両端部に引っ掛けられていることで、車輪１１２はガイド部１１１に取り付けられている。このとき、取付部１１０とガイド部１１１とが一体的に形成されていることで、車輪１１２は、ガイド部１１１によって転がる方向が撮影ブース６の長さ方向、すなわち前後方向になるように規制されている。さらに、車輪１１２が取り付けられた状態では、車軸１１２ａは、第２の切欠き部１１１ｂの形状に沿って上下方向にスライド可能、すなわち、ねじりばね部１１３によって、床面６ａに対して弾性的に出退可能とされている。なお、通常の状態では、車軸１１２ａは、第２の切欠き部１１１ｂの下端部に接触して、第２の切欠き部１１１ｂの上端部と車軸１１２ａとの間には間隙Ｓ１が設けられている。この間隙Ｓ１は、支持部１０８と床面６ａとの間隙Ｓ２と同様に形成されている。また、移動支援手段１０３は、実質的には車輪１１２が床面６ａに対して出退するが、これにより移動支援手段１０３の高さ方向の寸法が変化するので、移動支援手段１０３は床面６ａに対して、見かけ上、出退する。
【０１２６】
以上のような構成において、ユーザが撮影用椅子１００を撮影ブース６内において移動させたりする際には、図２５（ａ）および図２５（ｂ）に示すように、車輪１１２は、ねじりばね部１１３の弾性力により床面６ａに対して突出された状態となり、これにより支持部１０８は床面６ａと接触しないので、車輪１１２が床面６ａに対して撮影用椅子１００を支持する形態となる。したがって、撮影用椅子１００は車輪１１２のみが床面６ａに接触するので、ユーザは、移動支援手段１０３により撮影用椅子１００の移動を容易に行うことができる。またこのとき、ガイド部１１１により、車輪１１２の転がる方向が撮影ブース６の長さ方向、すなわち前後方向になるように規制されているので、移動後の撮影用椅子１００が撮影ブース６の片側に寄ることはなく、ユーザは、撮影用椅子１００の位置調整を容易に行うことができ、撮影時間の短縮を図ることができる。さらに、例えば、撮影用椅子１００を撮影ブース６内から外に出すといったいたずらをしようとするユーザがいる場合、撮影用椅子１００を撮影ブース６の外に出すためには、撮影用椅子１００を撮影ブース６の幅方向に移動させる必要があるが、撮影用椅子１００は、ガイド部１１１により、前記幅方向への移動を抑制されているので、このようないたずらを未然に防止することができる。
【０１２７】
次に、ユーザが撮影用椅子１００の座部１０２Ａ、１０２Ｂなどに座るなどして撮影ポーズを形成し、撮影用椅子１００に鉛直方向下向きの荷重が作用した場合には、図２６（ａ）および図２６（ｂ）に示すように、ねじりばね部１１３は前記の下向きの荷重によりさらにねじれ、これに伴って、撮影用椅子１００が、第２の切欠き部１１１ｂと車軸１１２ａとの間隙Ｓ１（図２５（ａ）参照）の分、床面６ａに向けて下降する。
【０１２８】
このとき、支持部１０８と床面６ａとの間隙Ｓ２は、間隙Ｓ１と同様に形成されているので、撮影用椅子１００が間隙Ｓ１の分だけ下降した際には、支持部１０８が床面６ａと接触し、移動支援手段１０３に代わって撮影用椅子１００を床面６ａに対して支持する。またこのとき、図２６に示すように、ねじりばね部１１３の上端部１１３ａと車輪１１２の外面とが接触し、車輪１１２はその回転を抑制される。
【０１２９】
このように、支持部１０８が撮影用椅子１００を支持することにより、移動支援手段１０３が撮影用椅子１００を支持する図２５に示すような場合に比べて、撮影用椅子１００は撮影ブース６内の移動が抑制され、したがって、ユーザが撮影ポーズを形成した際には、撮影用椅子１００の挙動は安定するので、ユーザは形成した撮影ポーズを容易に維持することができ、簡単に写真撮影を行うことができるとともに撮影時間の短縮を図ることができる。さらに、ねじりばね部１１３の上端部１１３ａと車輪１１２の外面とが接触し、車輪１１２はその回転を抑制されるので、撮影用椅子１００の移動をいっそう抑制することができる。
【０１３０】
なお、上記においては、移動支援手段１０３として車輪１１２を有するものを説明したが、これに限らず、図示は省略するが、横断面形状が矩形状、半円形状、Ｕ字型状、Ｖ字型状、∩字型状、ハの字型状など、床面６ａとの接触面積が支持部１０８と床面６ａとの接触面積よりも小さくなるような、すなわち動摩擦抵抗が小さくなるようなそり状のものであってもよい、すなわち撮影用椅子の移動を支援する手段であれば、適宜選択しうるものでよい。また、上記においては、車輪１１２が撮影ブース６の高さ方向、すなわち鉛直方向に出退する場合を説明したが、これに限らず、固定板１０９と取付部１１０との接触部を中心として円弧状の軌跡を描いて出退するような形態であっても良い。さらに、上記においては、車輪１１２を出退させる弾性体としてねじりばね部１１３を用いているが、その他の弾性体としてはゴムなどの弾力のある樹脂であってもよい。
【０１３１】
また、上記においては、撮影用椅子１００にユーザからの鉛直方向下向きの荷重が作用した際には、撮影用椅子１００が下降して、支持部１０８が床面６ａに接触し、移動支援手段１０３に代わって撮影用椅子１００を支持する場合を説明したが、これに限らず、支持部１０８を設けずに、撮影用椅子１００に前記荷重が作用した場合にも、移動支援手段１０３により撮影用椅子１００を支持させるようにしてもよい。この場合には、既に述べたように、前記荷重が作用したときすなわちユーザが撮影ポーズを形成したときにねじりばね部１１３の上端部１１３ａと車輪１１２の外面とを接触させて、車輪１１２の回転を抑制することで、撮影用椅子１００の移動を抑制する。
【０１３２】
なお、上述した、荷重が作用しないときには移動支援手段１０３が撮影用椅子１００を支持し、荷重が作用したときには移動支援手段１０３に代わって支持部１０８が撮影用椅子１００を支持するといった機構や、荷重が作用しない場合も作用する場合も移動支援手段１０３により撮影用椅子１００を支持するが、荷重が作用したときには、ねじりばね部１１３の上端部１１３ａと車輪１１２の外面とが接触して、車輪１１２の回転を抑制し、前記荷重が作用したときの撮影用椅子１００の移動を抑制するといった機構は、写真自動撮影装置における撮影用椅子に限られず、例えば、通常の机や椅子、書棚やタンスなど、物を載せたり、収納したりしている設置状態では動くことが好ましくなく、また、配置換えなどで移動させる際には持ち上げなくとも容易に移動できることが好ましい家具等の下部に用いられてもよい。
【０１３３】
以上のように本発明によると、写真自動撮影装置１の撮影ブース６内において、ユーザ７の好みに応じた位置で撮影用椅子８などを利用することにより、ユーザ７が思い思いの撮影位置で写真撮影でき、また、ユーザ７が好みに応じた位置で撮影用椅子８を利用する場合において、撮影用椅子８と背景カーテン３０、ユーザ７と背景カーテン３０とが接触することを防止し、背景カーテン３０にシワが発生することを防止することで、仕上がり具合の良好な写真を得ることができる。
【図面の簡単な説明】
【０１３４】
【図１】本発明の実施の形態の写真自動撮影装置の斜視図である。
【図２】本発明の実施の形態の写真自動撮影装置の側面図である。
【図３】本発明の実施の形態の写真自動撮影装置の平面図である。
【図４】図１〜図３に示す筐体を背面側から見た斜視図である。
【図５】図１〜図３に示す撮影用椅子の側面図である。
【図６】図５に示す撮影用椅子の平面図である。
【図７】図５に示す撮影用椅子の斜視図である。
【図８】図５に示す撮影用椅子において、座部が一つである場合を示す側面図である。
【図９】撮影ブースの幅と撮影用椅子の幅との関係の一例を示す正面図である。
【図１０】ユーザが写真撮影をする状態の一例を示す側面図である。
【図１１】ユーザが写真撮影をする状態の一例を示す側面図である。
【図１２】ユーザが写真撮影をする状態の一例を示す側面図である。
【図１３】図５に示す撮影用椅子とは異なる撮影用椅子の一例を示す斜視図である。
【図１４】図５に示す撮影用椅子とは異なる撮影用椅子の一例を示す斜視図である。
【図１５】図５に示す撮影用椅子とは異なる撮影用椅子の一例を示す側面図である。
【図１６】図１５に示す撮影用椅子の斜視図である。
【図１７】図５に示す撮影用椅子とは異なる撮影用椅子の一例を示す正面図である。
【図１８】図１７に示す撮影用椅子の使用状態の一例を示す正面図である。
【図１９】図１〜図３に示す段部とは異なる移動制限手段の一例を示す側面図である。
【図２０】撮影ブースの側壁面に設けられているブース幅調整部を示す平面図である。
【図２１】図１〜図３に示す座部とは異なる構成の座部の側面図である。
【図２２】実施の形態２の撮影用椅子を示す斜視図である。
【図２３】図２２に示す撮影用椅子の正面図である。
【図２４】図２２に示す撮影用椅子の側面図である。
【図２５】図２２に示す撮影用椅子の要部拡大図であって、（ａ）は、撮影用椅子にユーザからの荷重が作用していないときの側面図、（ｂ）は、撮影用椅子にユーザからの荷重が作用していないときの正面図である。
【図２６】図２２に示す撮影用椅子の要部拡大図であって、（ａ）は、撮影用椅子にユーザからの荷重が作用しているときの側面図、（ｂ）は、撮影用椅子にユーザからの荷重が作用しているときの正面図である。
【符号の説明】
【０１３５】
２    カメラ
６    撮影ブース
７    ユーザ
８    撮影用椅子
３０    背景カーテン
【図１】
2007041483.tif 000003
【図２】
2007041483.tif 000004
【図３】
2007041483.tif 000005
【図４】
2007041483.tif 000006
【図５】
2007041483.tif 000007
【図６】
2007041483.tif 000008
【図７】
2007041483.tif 000009
【図８】
2007041483.tif 000010
【図９】
2007041483.tif 000011
【図１０】
2007041483.tif 000012
【図１１】
2007041483.tif 000013
【図１２】
2007041483.tif 000014
【図１３】
2007041483.tif 000015
【図１４】
2007041483.tif 000016
【図１５】
2007041483.tif 000017
【図１６】
2007041483.tif 000018
【図１７】
2007041483.tif 000019
【図１８】
2007041483.tif 000020
【図１９】
2007041483.tif 000021
【図２０】
2007041483.tif 000022
【図２１】
2007041483.tif 000023
【図２２】
2007041483.tif 000024
【図２３】
2007041483.tif 000025
【図２４】
2007041483.tif 000026
【図２５】
2007041483.tif 000027
【図２６】
2007041483.tif 000028